(57)【要約】　　　（修正有）【課題】乳幼児のレッグ部からの液漏れを防止する。【解決手段】おむつのトップシート側における長手方向の両側部に、それぞれバックシート１４に連設された内側シート１８，１８’を、該内側シートそれぞれの長手方向に沿う内側縁部が吸収体１６の長手方向の両側縁部よりもそれぞれ内側に位置するように配設し、内側シートは、不織布とフィルムとのラミネートから成り、且つ該不織布がおむつの肌当接面に位置するように配設され、バックシートは、不織布とフィルムとのラミネートから成り、且つ該不織布がおむつの非肌当接面に位置するように配設されることを特徴とする使い捨ておむつ。【選択図】　　　図７
2004000481.tif 000002
【特許請求の範囲】
【請求項１】
液透過性のトップシート、液不透過性のバックシート及び該トップシートと該バックシートとの間に介在せしめた液保持性の吸収体を具備する使い捨ておむつにおいて、
上記おむつの上記トップシート側における長手方向の両側部に、それぞれ上記バックシートに連設された内側シートを、該内側シートそれぞれの長手方向に沿う内側縁部が上記吸収体の長手方向の両側縁部よりもそれぞれ内側に位置するように配設し、
上記内側シートは、不織布とフィルムとのラミネートから成り、且つ該不織布が上記おむつの肌当接面に位置するように配設され、
上記バックシートは、不織布とフィルムとのラミネートから成り、且つ該不織布が上記おむつの非肌当接面に位置するように配設されることを特徴とする使い捨ておむつ。
【発明の詳細な説明】
【０００１】
【発明の属する技術分野】
本発明は使い捨ておむつに関するものであり、更に詳しくは、液の吸収面をその全面に有する使い捨ておむつに関する。
【０００２】
【従来の技術及び発明が解決しようとする課題】
乳幼児用の使い捨ておむつにおいては、従来、レッグ部からの液漏れを防止することを目的として、種々の防漏機構が提案されている。例えば、レッグギャザーの内側に、おむつの長手方向に沿って疎水性の立体ギャザーを設け、該立体ギャザーを内向きに伏倒させてたものが知られている。該立体ギャザーは、おむつの着用時にある程度起立すると共に、その疎水性が故に液の防漏部として作用し、排泄物の収容特性を向上せしめ、着用者の動作に伴うレッグ部からの液漏れを防止している。
【０００３】
しかしながら、上記立体ギャザーでは、該立体ギャザーによるいわゆるポケット部が形成され排泄物の収容特性の向上が図られるものの、おむつの着用中に、該立体ギャザーが着用者の体圧等によって潰れてしまい、その効果を十分に発揮し得ない場合が多い。また、着用者の動作によっては、液がおむつ内の様々な方向に拡散し、上記立体ギャザーを越えて外方に漏れ出す場合がしばしばある。かかる場合、該立体ギャザーの外側は最早疎水性であり、しかも吸収体も存在していないので、漏れ出した液は吸収されること無くそのまま使い捨ておむつの外部へと流れ出てしまう。しかも、上記レッグギャザー自体は立体形状ではないので、該レッグギャザーには上記立体ギャザーのような防漏作用は無く、該レッグギャザーによって液の漏れを防止することはできない。
【０００４】
かかる問題点を解決するための手段として、例えば、上記立体ギャザーの自由縁部に配設されている伸縮弾性部材の伸縮力を高めること等が考えられるが、伸縮力を高めるだけでは、おむつを縮小化させ、着用者の肌をいためるという不都合もある。
【０００５】
従って、本発明の目的は、着用者の動作に伴い液が様々な方向に拡散する場合にも液を確実に吸収し、液漏れを防止し得る使い捨ておむつを提供することにある。
【０００６】
【課題を解決するための手段】
本発明は、液透過性のトップシート、液不透過性のバックシート及び該トップシートと該バックシートとの間に介在せしめた液保持性の吸収体を具備する使い捨ておむつにおいて、
上記おむつの上記トップシート側における長手方向の両側部に、それぞれ上記バックシートに連設された内側シートを、該内側シートそれぞれの長手方向に沿う内側縁部が上記吸収体の長手方向の両側縁部よりもそれぞれ内側に位置するように配設し、
上記内側シートは、不織布とフィルムとのラミネートから成り、且つ該不織布が上記おむつの肌当接面に位置するように配設され、
上記バックシートは、不織布とフィルムとのラミネートから成り、且つ該不織布が上記おむつの非肌当接面に位置するように配設されることを特徴とする使い捨ておむつを提供することにより、上記目的を達成したものである。
【０００７】
【発明の実施の形態】
以下、本発明の使い捨ておむつの好ましい実施形態を図面を参照して説明する。ここで、図１は、本発明の使い捨ておむつの第１の実施形態を示す展開図であり、図２は、図１に示す使い捨ておむつの弛緩した状態におけるＡ−Ａ線断面図であり、図３は、係止部材により背側ウエスト部と腹側ウエスト部とを固定する状態を示す斜視図である。
【０００８】
図１及び図２に示す実施形態の使い捨ておむつ１０は、液透過性のトップシート１２、液不透過性のバックシート１４及び該トップシート１２と該バックシート１２との間に介在せしめた液保持性の吸収体１６を具備する。
【０００９】
上記液透過性のトップシート１２としては、排泄物を上記吸収体１６へ透過させる性質を有しているものであれば特に制限無く用いることができるが、特に肌着に近い感触を有したものを用いることが好ましい。このような液透過性シートとしては、例えば、熱可塑性樹脂の織布、カードやスパンボンド等の不織布又は多孔性フィルム等が好ましく挙げられる。また、該トップシートの液透過性を高めるために、アルキルリン酸エステルのような親水性化合物をその表面に塗布してもよい。
【００１０】
上記液不透過性のバックシート１４としては、熱可塑性樹脂に無機化合物又は有機化合物のフィラーを添加してＴダイやサーキュラーダイから溶融押出を行い、次いで一軸又は二軸延伸したフィルムシートであって、しかも透湿性のある液不透過性シートが好ましい。該バックシート１４は、特に肌着に近い感触を有したものであることが好ましい。このような液不透過性シートとしては、例えば、熱可塑性樹脂のフィルムと不織布との複合材等が好ましく挙げられる。
【００１１】
上記液保持性の吸収体１６としては、木材パルプを粉砕したフラッフパルプを用いることができ、これに高吸水性ポリマーを併用したものが好ましい。特に、熱可塑性樹脂、フラッフパルプ及び高吸水性ポリマーの混合物を熱処理したものが好ましい。該高吸水性ポリマーは、フラッフパルプと混合して用いてもよく、或いは吸収体１６の特定の部分、即ち上層部分、中層部分又は下層部分の何れかの部分にのみ存在させてもよい。上記高吸水性ポリマーとしては自重の２０倍以上の液体を吸収して保持し得る保持性能を有し、且つゲル化する性質を有する粒子状のものが好ましい。このような高吸水性ポリマーとしては、例えば、デンプン系、セルロース系及び合成ポリマーがあり、特にデンプン−アクリル酸（塩）グラフト共重合体、デンプン−アクリロニトリル共重合体のケン化物、ナトリウムカルボキシメチルセルロースの架橋物及びアクリル酸（塩）重合体などが好ましく挙げられる。
【００１２】
また、図１に示す使い捨ておむつにおいては、おむつの着用時に着用者の背側に位置する背側ウエスト部５０と、腹側に位置する腹側ウエスト部５１とが設けられ、これらが接合されてウエスト開口部が形成される。そして、これら背側ウエスト部５０及び腹側ウエスト部５１においては、上記トップシート１２と、上記バックシート１４と、これらの間に介在せしめたウエスト伸縮弾性部材（図示せず）とがホットメルト等の固定手段により互いに接合されて、背側ウエストギャザー５２及び腹側ウエストギャザー５３がそれぞれ形成されている。なお、該ウエスト伸縮弾性部材としては、例えば、ポリウレタンや天然ゴムなどを糸状又は帯状にしたものを用いることができ、特に糸ゴム、平ゴム、フィルムタイプのゴム又はフィルム状の発泡ポリウレタン等が好ましく用いられる。
【００１３】
而して、本発明の特徴部分について説明すると、本発明の使い捨ておむつにおいては、図１及び図２に示すように、使い捨ておむつ１０の上記トップシート１２側における長手方向の左右両側部に、それぞれ上記バックシート１４に連設された内側シート１８，１８’を、該内側シート１８，１８’それぞれの長手方向に沿う内側縁部が上記吸収体１６の長手方向の両側縁部２０，２０’よりもそれぞれ内側に位置するように配設する。
【００１４】
更に詳細には、本実施形態の使い捨ておむつにおいては、図１及び図２に示すように、上記内側シート１８，１８’は、上記バックシート１４の左右両側部が上記トップシート１２側にそれぞれ折り返されることによって、上記バックシート１４からの連続体で形成されている。また、上記内側シート１８，１８’は、上記使い捨ておむつ１０の長手方向の全長にわたって配設されている。上記両内側シート１８，１８’の幅は略同じであり、左右の内側シート１８，１８’の幅の和は、上記使い捨ておむつ１０の幅の５５％以上であることが、レッグギャザーがラウンドにしかも立体的に立ち上がるの点から好ましい。
【００１５】
また、上記両内側シート１８，１８’は、図２に示すように、それぞれの長手方向に沿う内側縁部が上記吸収体１６の長手方向の両側縁部２０，２０’よりもそれぞれ内側に位置するように配設されている。そして、上記両内側シート１８，１８’のうち、上記吸収体１６に存する部分の幅の和は、上記吸収体１６の幅の８５％以下であることが、吸収性能の点から好ましい。
【００１６】
図１及び図２に示す、本実施形態の使い捨ておむつ１０における上記両内側シート１８，１８’は、上記バックシート１４が折り返された連続体として形成されたものであるから、該両内側シート１８，１８’シートの材質は、上記バックシート１４の材質と同じである。しかしながら、本発明の使い捨ておむつにおける上記内側シートの材質は、後述する第３の実施形態のように、上記バックシートの材質と異なっていてもよい。
【００１７】
また、本発明の使い捨ておむつにおいては、図１及び図２に示すように、上記バックシート１４と上記内側シート１８，１８’との連設部（本実施形態においては、上記バックシート１４の折り返し部）に、それぞれ第１伸縮弾性部材２２，２２’が伸張した状態でホットメルト等の固定手段により配設・固定されており、その結果左右一対のレッグギャザー２４，２４’がそれぞれ形成されている。上記第１伸縮弾性部材２２，２２’は、上記使い捨ておむつ１０の長手方向に沿って、且つ背側ウエストギャザー５２の下端縁部５２’から、腹側ウエストギャザー５３の下端縁部５３’にわたって配設されている。
【００１８】
一方、上記両内側シート１８，１８’のそれぞれ内側縁部には、図１及び図２に示すように、第２伸縮弾性部材２６，２６’がそれぞれ伸張した状態で、ホットメルト等の固定手段により配設・固定されており、その結果左右一対の襞部ギャザー２８，２８’がそれぞれ形成されている。上記第２伸縮弾性部材２６，２６’は、上記第１伸縮弾性部材２２，２２’と同様に、上記使い捨ておむつ１０の長手方向に沿って、且つ背側ウエストギャザー５２の下端縁部５２’から、腹側ウエストギャザー５３の下端縁部５３’にわたって配設されている。また、図２に示すように、上記第２伸縮弾性部材２６，２６’は、上記両内側シート１８，１８’の各内側縁部をそれぞれ上記トップシート１２側に折り返した、折り返し部分に配設されている。
【００１９】
上記第１伸縮弾性部材及び第２伸縮弾性部材としては、上記ウエスト伸縮弾性部材に用いられる材質と同様の材質のものでもよく又は異なる材質のものでもよく、特に制限無く用いることができる。
【００２０】
また、本発明の使い捨ておむつにおいては、上記トップシート１２と上記両内側シート１８，１８’とがホットメルト等の固定手段によってそれぞれ接合・固定されている。上記接合・固定部の位置は、図２に示すように、上記吸収体１６の長手方向の側縁部２０，２０’と上記内側シート１８，１８’の内側縁部との間であって、且つおむつの長手方向に沿う位置である。従って、上記内側シート１８，１８’における、上記内側縁部に形成された上記襞部ギャザー２８，２８’から上記接合・固定部までの部分は、上記トップシート１２には固定されていない、いわゆるフリーの状態になっている。その結果、上記使い捨ておむつ１０には、そのトップシート１２側に、上記襞部ギャザー２８，２８’が自由縁部となるような左右一対の襞部３０，３０’がそれぞれ形成される。即ち、上記襞部３０，３０’は、その長手方向の一側縁部が自由縁部となっており、該自由縁部に上記襞部ギャザー２８，２８’が形成されており、一方、該一側縁部と対向する他側縁部は、上記トップシート１２に接合固定されている。
【００２１】
更に、本発明の使い捨ておむつにおいては、図１及び図２に示すように、上記襞部ギャザー２８，２８’の長手方向略中央部と上記レッグギャザー２４，２４’の長手方向略中央の内側部とがそれぞれ接合・固定されており、上記襞部３０，３０’及び上記レッグギャザー２４，２４’がそれぞれ立ち上がるようになされている。なお、上記襞部ギャザーと上記レッグギャザーとの接合・固定には、ホットメルト等の固定手段を用いることができる。上記接合・固定部は、上記襞部ギャザーと上記レッグギャザーとが立ち上がり、且つ使用中においてもその状態を維持し得るような程度の強度で接合・固定されていればよく、接合・固定面積（長さ、幅）に特に制限はない。また、上記レッグギャザー２４，２４’は、その長手方向略中央の内側部において上記襞部ギャザー２８，２８’と接合・固定されるが、該内側部の位置は、上記襞部ギャザーと上記レッグギャザーとが首尾良く立ち上がるように、適宜調節（即ち、更に内側にずれるか、又は外側にずれる）することができる。
【００２２】
また、本実施形態の使い捨ておむつにおいては、図１に示すように、背側ウエスト部５０のトップシート側における左右両縁に、係止部材３２，３２’がそれぞれ設けられている。かかる係止部材３２，３２’は、図３に示すように、本発明の使い捨ておむつの装着時に、該背側ウエスト部５０と腹側ウエスト部５１とを固定せしめるためのものである。
【００２３】
上記係止部材としては、従来の使い捨ておむつに用いられている係止部材を特に制限無く用いることができる。本発明においては、該係止部材として、機械的ファスナーとして知られているもの（オス方）を用い、且つ被係止部材として不織布を用いることが好ましい。更に詳細には、本発明の使い捨ておむつのバックシート側における外面が、上記被係止部材としての不織布から構成されており、該不織布と上記係止部材としての機械的ファスナーによって、上記背側ウエスト部５０と上記腹側ウエスト部５１とが固定されることが好ましい。このような係止部材及び被係止部材を用いることにより、該係止部材を該被係止部材の何れの位置にも固定することができるので、着用者の体格に合わせて、胴回りの大きさを容易に調節することができる。しかも、該係止部材を該被係止部材とは着脱自在なので、おむつの着用中にその内部の状態を調べるために、一時的に着用者からおむつを外しても、再度着用させることが容易である。即ち、おむつの付け外しを何度でも行うことができる。
【００２４】
次に、本発明の使い捨ておむつにおける液の吸収作用を、図４〜図６を参照して説明する。ここで、図４は、本実施形態の使い捨ておむつが弛緩した状態を示す斜視図であり、図５は、本実施形態の使い捨ておむつを着用者に着用させた状態を示す図であり、図６は、図１に示す使い捨ておむつの弛緩した状態におけるＢ−Ｂ線断面図である。
【００２５】
本発明の使い捨ておむつにおいては、上記襞部ギャザー２８，２８’の長手方向略中央部と上記レッグギャザー２４，２４’の長手方向略中央の内側部とが接合され、上記襞部３０，３０’及び上記レッグギャザー２４，２４’が起立するようになされている。そして、これら襞部及びレッグギャザーは、本発明の使い捨ておむつが展開された状態（図１及び図２参照）において起立状態にあり、しかも、図４に示すように本発明の使い捨ておむつを弛緩させた状態においては、一層起立している。従って、従来の使い捨ておむつとは異なり、襞部のみならず、レッグギャザーも立体形状をとり、しかもこれらが一体化している。従って、着用者の足ぐりからの液の漏れが従来の使い捨ておむつに比して効果的に防止される。その上、おむつの着用時、上記襞部及びレッグギャザーは、ラウンド形状となり、しかも図５に示すように該レッグギャザー２４，２４’は着用者の足ぐりに面で以って当接するので（図５中矢印で示す）、フィット性が極めて高くなり、液漏れが一層効果的に防止される。
【００２６】
また、上記襞部３０，３０’と上記トップシートとの間には、図６に示すように、排泄物を収容するための、いわゆるポケット部が形成されるので（図６中矢印で示す）、排泄物の収容特性が極めて向上する。該ポケット部は、特にウエスト部からの液漏れに対して防止効果を発揮する。
【００２７】
更に、本発明の使い捨ておむつにおいては、図６に示すように、着用者の動作等により、上記襞部３０，３０’を越えて液が漏れ出した場合にも、該襞部と上記レッグギャザーとの間には吸収体１６が存在しているので、漏れ出した液は、かかる吸収体によって吸収され、おむつの外部に流れ出るおそれがない。その結果、液漏れが更に一層効果的に防止される。なお、上記襞部と上記レッグギャザーとの間に漏れ出した液の吸収を一層効果的に行うために、該襞部の外面（即ち、該襞部が起立したときに上記レッグギャザーと対向する面）は親水性であることが好ましい。かかる部分を親水性とするには、例えば、該襞部を親水性を有する材質から形成したり、或いは界面活性剤等により親水化処理すればよい。
【００２８】
次に、本発明の使い捨ておむつの第２及び第３の実施形態を、図７及び図８（それぞれ図２相当図）を参照して説明する。なお、図７及び図８において、図１〜図６と同じ点については特に詳述しないが、図１〜図６に関して詳述した説明が適宜適用される。また、図７及び図８において図１〜図６と同じ部材については同じ符号を付した。
【００２９】
図７に示す第２の実施形態の使い捨ておむつは、上記第１の実施形態の使い捨ておむつと略同様に構成されており、異なる点は、上記内側シートが不織布３６と液不透過性のフィルム３４とのラミネートから成り、且つ該不織布が上記おむつの肌当接面に位置するように配設されている点である。また、上記バックシートは、液不透過性のフィルム３４と不織布３６とのラミネートから成り、該不織布３６がおむつの非肌当接面（外面）に位置するように該バックシートが配設されている。そして、おむつのトップシート１２側に配設される内側シートは、該バックシートからの連続体で形成されている。このように、本実施形態の使い捨ておむつにおいては、その外面（非肌当接面）が不織布から形成されているので、布様の感触を呈し、快適な使用感を有する。また、係止部材として上述した機械的ファスナーを併用することにより、該係止部材を上記不織布の何れの位置にも固定することができるので、着用者の体格に合わせておむつの胴まわりを適宜調節することができる。しかも、該係止部材の付け外しは何度でも行うことができるので、一時的に着用者からおむつを外しても、再度着用させることが容易である。なお、本実施形態においては、上記バックシートにおける上記不織布３６は、該バックシートの全面にラミネートされていてもよく、或いはその一部のみ、例えば、上記係止部材が固定される部分である、上記背側ウエスト部の外面（非肌当接面）のみにラミネートされていてもよい。
【００３０】
次に、図８に示す第３の実施形態の使い捨ておむつは、上記第１の実施形態の使い捨ておむつと略同様に構成されており、異なる点は、上記バックシートが、フィルム３４から構成されており、その長手方向に沿う両側部に不織布３６がそれぞれ連設されている点である。そして、該不織布３６がおむつのトップシート１２側に折り返されて、上記内側シートを形成している。上記フィルム３４と上記不織布３６との連設部の接合には、例えばホットメルトやヒートシール等の固定手段を用いることができる。本実施形態の使い捨ておむつにおいても、上記第２の実施形態の使い捨ておむつと同様に、係止部材として上述した機械的ファスナーを併用することにより、該係止部材を上記不織布の何れの位置にも固定することができるので、着用者の体格に合わせておむつの胴まわりを適宜調節することができる。しかも、該係止部材の付け外しは何度でも行うことができるので、一時的に着用者からおむつを外しても、再度着用させることが容易である。また、本実施形態の使い捨ておむつにおいては、上記不織布３６の使用量を低減することができるので、製造コストを抑えることが可能となる。
【００３１】
以上、本発明の使い捨ておむつを、その好ましい実施形態に基づいて説明したが、本発明の使い捨ておむつは、上記実施形態に限定されるものではなく、種々の変更形態が可能である。例えば、背側ウエスト部及び／又は腹側ウエスト部における上記トップシートと上記吸収体との間に液不透過性のシートを介在せしめて、着用者の横臥時に該吸収体からの液の滲みを防止するための、いわゆるウエストバリアを形成してもよい。また、上記内側シートは、おむつの長手方向の全長にわたって配設されている必要はなく、背側ウエストギャザー５２の下端縁部５２’から、腹側ウエストギャザー５３の下端縁部５３’にのみ配設されていてもよい。また、上記係止部材として、上記機械的ファスナーに代えて、ファスニングテープ等の粘着テープを用いてもよい。
【００３２】
【発明の効果】
以上、詳述したように、本発明によれば、着用者の動作に伴い液が様々な方向に拡散する場合にも液を確実に吸収し、液漏れを防止し得る使い捨ておむつが提供される。また、バックシートを液不透過性のフィルムと不織布とのラミネートから形成し、且つ該不織布をおむつの外面に位置するように該バックシートを配設することにより、布様の感触を呈し、快適な使用感を有する使い捨ておむつが得られる。更に、係止部材として機械的ファスナーを併用することにより、該係止部材を上記不織布の何れの位置にも固定することができるので、着用者の体格に合わせておむつの胴まわりを適宜調節することができる。
【図面の簡単な説明】
【図１】本発明の使い捨ておむつの第１の実施形態を示す展開図である。
【図２】図１に示す使い捨ておむつの弛緩した状態におけるＡ−Ａ線断面図である。
【図３】係止部材により背側ウエスト部と腹側ウエスト部とを固定する状態を示す斜視図である。
【図４】第１の実施形態の使い捨ておむつが弛緩した状態を示す斜視図である。
【図５】第１の実施形態の使い捨ておむつを着用者に着用させた状態を示す図である。
【図６】図１に示す使い捨ておむつの弛緩した状態におけるＢ−Ｂ線断面図である。
【図７】本発明の使い捨ておむつの第２の実施形態を示す図（図２相当図）である。
【図８】本発明の使い捨ておむつの第３の実施形態を示す図（図２相当図）である。
【符号の説明】
１０　使い捨ておむつ
１２　液透過性のトップシート
１４　液不透過性のバックシート
１６　液保持性の吸収体
１８，１８’　内側シート
２０，２０’　吸収体１６の側縁部
２２，２２’　第１伸縮弾性部材
２４，２４’　レッグギャザー
２６，２６’　第２伸縮弾性部材
２８，２８’　襞部ギャザー
３０，３０’　襞部
３２，３２’　係止部材
３４　フィルム
３６　不織布
【図１】
2004000481.tif 000003
【図２】
2004000481.tif 000004
【図３】
2004000481.tif 000005
【図４】
2004000481.tif 000006
【図５】
2004000481.tif 000007
【図６】
2004000481.tif 000008
【図７】
2004000481.tif 000009
【図８】
2004000481.tif 000010
【手続補正書】
【提出日】平成15年3月13日(2003.3.13)
【手続補正１】
【補正対象書類名】明細書
【補正対象項目名】全文
【補正方法】変更
【補正の内容】
【発明の詳細な説明】
【特許請求の範囲】
【請求項１】液透過性のトップシート、液不透過性のバックシート及び該トップシートと該バックシートとの間に介在せしめた液保持性の吸収体を具備する使い捨ておむつにおいて、
上記おむつの上記トップシート側における長手方向の両側部に、それぞれ上記バックシートに連設された内側シートを、該内側シートそれぞれの長手方向に沿う内側縁部が上記吸収体の長手方向の両側縁部よりもそれぞれ内側に位置するように配設し、
上記内側シートは、不織布とフィルムとのラミネートから成り、且つ該不織布が上記おむつの肌当接面に位置するように配設され、
上記バックシートは、不織布とフィルムとのラミネートから成り、且つ該不織布が上記おむつの非肌当接面に位置するように配設されることを特徴とする使い捨ておむつ。
【発明の詳細な説明】
【０００１】
【発明の属する技術分野】
本発明は使い捨ておむつに関するものであり、更に詳しくは、液の吸収面をその全面に有する使い捨ておむつに関する。
【０００２】
【従来の技術及び発明が解決しようとする課題】
乳幼児用の使い捨ておむつにおいては、従来、レッグ部からの液漏れを防止することを目的として、種々の防漏機構が提案されている。例えば、レッグギャザーの内側に、おむつの長手方向に沿って疎水性の立体ギャザーを設け、該立体ギャザーを内向きに伏倒させてたものが知られている。該立体ギャザーは、おむつの着用時にある程度起立すると共に、その疎水性が故に液の防漏部として作用し、排泄物の収容特性を向上せしめ、着用者の動作に伴うレッグ部からの液漏れを防止している。
【０００３】
しかしながら、上記立体ギャザーでは、該立体ギャザーによるいわゆるポケット部が形成され排泄物の収容特性の向上が図られるものの、おむつの着用中に、該立体ギャザーが着用者の体圧等によって潰れてしまい、その効果を十分に発揮し得ない場合が多い。また、着用者の動作によっては、液がおむつ内の様々な方向に拡散し、上記立体ギャザーを越えて外方に漏れ出す場合がしばしばある。かかる場合、該立体ギャザーの外側は最早疎水性であり、しかも吸収体も存在していないので、漏れ出した液は吸収されること無くそのまま使い捨ておむつの外部へと流れ出てしまう。しかも、上記レッグギャザー自体は立体形状ではないので、該レッグギャザーには上記立体ギャザーのような防漏作用は無く、該レッグギャザーによって液の漏れを防止することはできない。
【０００４】
かかる問題点を解決するための手段として、例えば、上記立体ギャザーの自由縁部に配設されている伸縮弾性部材の伸縮力を高めること等が考えられるが、伸縮力を高めるだけでは、おむつを縮小化させ、着用者の肌をいためるという不都合もある。
【０００５】
従って、本発明の目的は、着用者の動作に伴い液が様々な方向に拡散する場合にも液を確実に吸収し、液漏れを防止し得る使い捨ておむつを提供することにある。
【０００６】
【課題を解決するための手段】
本発明は、液透過性のトップシート、液不透過性のバックシート及び該トップシートと該バックシートとの間に介在せしめた液保持性の吸収体を具備する使い捨ておむつにおいて、
上記おむつの上記トップシート側における長手方向の両側部に、それぞれ上記バックシートに連設された内側シートを、該内側シートそれぞれの長手方向に沿う内側縁部が上記吸収体の長手方向の両側縁部よりもそれぞれ内側に位置するように配設し、
上記内側シートは、不織布とフィルムとのラミネートから成り、且つ該不織布が上記おむつの肌当接面に位置するように配設され、
上記バックシートは、不織布とフィルムとのラミネートから成り、且つ該不織布が上記おむつの非肌当接面に位置するように配設されることを特徴とする使い捨ておむつを提供することにより、上記目的を達成したものである。
【０００７】
【発明の実施の形態】
以下、本発明の使い捨ておむつの好ましい実施形態を図面を参照して説明する。ここで、図１は、本発明の使い捨ておむつの第１の実施形態を示す展開図であり、図２は、図１に示す使い捨ておむつの弛緩した状態におけるＡ−Ａ線断面図であり、図３は、係止部材により背側ウエスト部と腹側ウエスト部とを固定する状態を示す斜視図である。図１及び図２に示すおむつは、後述するバックシート及び内側シートの具体的構造がそれぞれ１層のみからなる様に示されているが、後述する図７から明らかなように、実際は２層構造となっている。
【０００８】
図１及び図２に示す実施形態の使い捨ておむつ１０は、液透過性のトップシート１２、液不透過性のバックシート１４及び該トップシート１２と該バックシート１２との間に介在せしめた液保持性の吸収体１６を具備する。
【０００９】
上記液透過性のトップシート１２としては、排泄物を上記吸収体１６へ透過させる性質を有しているものであれば特に制限無く用いることができるが、特に肌着に近い感触を有したものを用いることが好ましい。このような液透過性シートとしては、例えば、熱可塑性樹脂の織布、カードやスパンボンド等の不織布又は多孔性フィルム等が好ましく挙げられる。また、該トップシートの液透過性を高めるために、アルキルリン酸エステルのような親水性化合物をその表面に塗布してもよい。
【００１０】
上記液不透過性のバックシート１４としては、熱可塑性樹脂に無機化合物又は有機化合物のフィラーを添加してＴダイやサーキュラーダイから溶融押出を行い、次いで一軸又は二軸延伸したフィルムシートであって、しかも透湿性のある液不透過性シートが好ましい。該バックシート１４は、特に肌着に近い感触を有したものであることが好ましい。このような液不透過性シートとして、本発明においては熱可塑性樹脂のフィルムと不織布との複合材が用いられる。
【００１１】
上記液保持性の吸収体１６としては、木材パルプを粉砕したフラッフパルプを用いることができ、これに高吸水性ポリマーを併用したものが好ましい。特に、熱可塑性樹脂、フラッフパルプ及び高吸水性ポリマーの混合物を熱処理したものが好ましい。該高吸水性ポリマーは、フラッフパルプと混合して用いてもよく、或いは吸収体１６の特定の部分、即ち上層部分、中層部分又は下層部分の何れかの部分にのみ存在させてもよい。上記高吸水性ポリマーとしては自重の２０倍以上の液体を吸収して保持し得る保持性能を有し、且つゲル化する性質を有する粒子状のものが好ましい。このような高吸水性ポリマーとしては、例えば、デンプン系、セルロース系及び合成ポリマーがあり、特にデンプン−アクリル酸（塩）グラフト共重合体、デンプン−アクリロニトリル共重合体のケン化物、ナトリウムカルボキシメチルセルロースの架橋物及びアクリル酸（塩）重合体などが好ましく挙げられる。
【００１２】
また、図１に示す使い捨ておむつにおいては、おむつの着用時に着用者の背側に位置する背側ウエスト部５０と、腹側に位置する腹側ウエスト部５１とが設けられ、これらが接合されてウエスト開口部が形成される。そして、これら背側ウエスト部５０及び腹側ウエスト部５１においては、上記トップシート１２と、上記バックシート１４と、これらの間に介在せしめたウエスト伸縮弾性部材（図示せず）とがホットメルト等の固定手段により互いに接合されて、背側ウエストギャザー５２及び腹側ウエストギャザー５３がそれぞれ形成されている。なお、該ウエスト伸縮弾性部材としては、例えば、ポリウレタンや天然ゴムなどを糸状又は帯状にしたものを用いることができ、特に糸ゴム、平ゴム、フィルムタイプのゴム又はフィルム状の発泡ポリウレタン等が好ましく用いられる。
【００１３】
図１及び図２に示すように、使い捨ておむつ１０においては、上記トップシート１２側における長手方向の左右両側部に、それぞれ上記バックシート１４に連設された内側シート１８，１８’を、該内側シート１８，１８’それぞれの長手方向に沿う内側縁部が上記吸収体１６の長手方向の両側縁部２０，２０’よりもそれぞれ内側に位置するように配設する。
【００１４】
更に詳細には、本実施形態の使い捨ておむつにおいては、図１及び図２に示すように、上記内側シート１８，１８’は、上記バックシート１４の左右両側部が上記トップシート１２側にそれぞれ折り返されることによって、上記バックシート１４からの連続体で形成されている。また、上記内側シート１８，１８’は、上記使い捨ておむつ１０の長手方向の全長にわたって配設されている。上記両内側シート１８，１８’の幅は略同じであり、左右の内側シート１８，１８’の幅の和は、上記使い捨ておむつ１０の幅の５５％以上であることが、レッグギャザーがラウンドにしかも立体的に立ち上がるの点から好ましい。
【００１５】
また、上記両内側シート１８，１８’は、図２に示すように、それぞれの長手方向に沿う内側縁部が上記吸収体１６の長手方向の両側縁部２０，２０’よりもそれぞれ内側に位置するように配設されている。そして、上記両内側シート１８，１８’のうち、上記吸収体１６に存する部分の幅の和は、上記吸収体１６の幅の８５％以下であることが、吸収性能の点から好ましい。
【００１６】
図１及び図２に示す、本実施形態の使い捨ておむつ１０における上記両内側シート１８，１８’は、上記バックシート１４が折り返された連続体として形成されたものであるから、該両内側シート１８，１８’シートの材質は、上記バックシート１４の材質と同じである。しかしながら、本発明の使い捨ておむつにおける上記内側シートの材質は、後述する図８のように上記バックシートの材質と異なっていてもよい。
【００１７】
また、本発明の使い捨ておむつにおいては、図１及び図２に示すように、上記バックシート１４と上記内側シート１８，１８’との連設部（本実施形態においては、上記バックシート１４の折り返し部）に、それぞれ第１伸縮弾性部材２２，２２’が伸張した状態でホットメルト等の固定手段により配設・固定されており、その結果左右一対のレッグギャザー２４，２４’がそれぞれ形成されている。上記第１伸縮弾性部材２２，２２’は、上記使い捨ておむつ１０の長手方向に沿って、且つ背側ウエストギャザー５２の下端縁部５２’から、腹側ウエストギャザー５３の下端縁部５３’にわたって配設されている。
【００１８】
一方、上記両内側シート１８，１８’のそれぞれ内側縁部には、図１及び図２に示すように、第２伸縮弾性部材２６，２６’がそれぞれ伸張した状態で、ホットメルト等の固定手段により配設・固定されており、その結果左右一対の襞部ギャザー２８，２８’がそれぞれ形成されている。上記第２伸縮弾性部材２６，２６’は、上記第１伸縮弾性部材２２，２２’と同様に、上記使い捨ておむつ１０の長手方向に沿って、且つ背側ウエストギャザー５２の下端縁部５２’から、腹側ウエストギャザー５３の下端縁部５３’にわたって配設されている。また、図２に示すように、上記第２伸縮弾性部材２６，２６’は、上記両内側シート１８，１８’の各内側縁部をそれぞれ上記トップシート１２側に折り返した、折り返し部分に配設されている。
【００１９】
上記第１伸縮弾性部材及び第２伸縮弾性部材としては、上記ウエスト伸縮弾性部材に用いられる材質と同様の材質のものでもよく又は異なる材質のものでもよく、特に制限無く用いることができる。
【００２０】
また、本発明の使い捨ておむつにおいては、上記トップシート１２と上記両内側シート１８，１８’とがホットメルト等の固定手段によってそれぞれ接合・固定されている。上記接合・固定部の位置は、図２に示すように、上記吸収体１６の長手方向の側縁部２０，２０’と上記内側シート１８，１８’の内側縁部との間であって、且つおむつの長手方向に沿う位置である。従って、上記内側シート１８，１８’における、上記内側縁部に形成された上記襞部ギャザー２８，２８’から上記接合・固定部までの部分は、上記トップシート１２には固定されていない、いわゆるフリーの状態になっている。その結果、上記使い捨ておむつ１０には、そのトップシート１２側に、上記襞部ギャザー２８，２８’が自由縁部となるような左右一対の襞部３０，３０’がそれぞれ形成される。即ち、上記襞部３０，３０’は、その長手方向の一側縁部が自由縁部となっており、該自由縁部に上記襞部ギャザー２８，２８’が形成されており、一方、該一側縁部と対向する他側縁部は、上記トップシート１２に接合固定されている。
【００２１】
更に、本発明の使い捨ておむつにおいては、図１及び図２に示すように、上記襞部ギャザー２８，２８’の長手方向略中央部と上記レッグギャザー２４，２４’の長手方向略中央の内側部とがそれぞれ接合・固定されており、上記襞部３０，３０’及び上記レッグギャザー２４，２４’がそれぞれ立ち上がるようになされている。なお、上記襞部ギャザーと上記レッグギャザーとの接合・固定には、ホットメルト等の固定手段を用いることができる。上記接合・固定部は、上記襞部ギャザーと上記レッグギャザーとが立ち上がり、且つ使用中においてもその状態を維持し得るような程度の強度で接合・固定されていればよく、接合・固定面積（長さ、幅）に特に制限はない。また、上記レッグギャザー２４，２４’は、その長手方向略中央の内側部において上記襞部ギャザー２８，２８’と接合・固定されるが、該内側部の位置は、上記襞部ギャザーと上記レッグギャザーとが首尾良く立ち上がるように、適宜調節（即ち、更に内側にずれるか、又は外側にずれる）することができる。
【００２２】
また、本実施形態の使い捨ておむつにおいては、図１に示すように、背側ウエスト部５０のトップシート側における左右両縁に、係止部材３２，３２’がそれぞれ設けられている。かかる係止部材３２，３２’は、図３に示すように、本発明の使い捨ておむつの装着時に、該背側ウエスト部５０と腹側ウエスト部５１とを固定せしめるためのものである。
【００２３】
上記係止部材としては、従来の使い捨ておむつに用いられている係止部材を特に制限無く用いることができる。本発明においては、該係止部材として、機械的ファスナーとして知られているもの（オス方）を用い、且つ被係止部材として不織布を用いることが好ましい。更に詳細には、本発明の使い捨ておむつのバックシート側における外面が、上記被係止部材としての不織布から構成されており、該不織布と上記係止部材としての機械的ファスナーによって、上記背側ウエスト部５０と上記腹側ウエスト部５１とが固定されることが好ましい。このような係止部材及び被係止部材を用いることにより、該係止部材を該被係止部材の何れの位置にも固定することができるので、着用者の体格に合わせて、胴回りの大きさを容易に調節することができる。しかも、該係止部材を該被係止部材とは着脱自在なので、おむつの着用中にその内部の状態を調べるために、一時的に着用者からおむつを外しても、再度着用させることが容易である。即ち、おむつの付け外しを何度でも行うことができる。
【００２４】
次に、本発明の使い捨ておむつにおける液の吸収作用を、図４〜図６を参照して説明する。ここで、図４は、本実施形態の使い捨ておむつが弛緩した状態を示す斜視図であり、図５は、本実施形態の使い捨ておむつを着用者に着用させた状態を示す図であり、図６は、図１に示す使い捨ておむつの弛緩した状態におけるＢ−Ｂ線断面図である。
【００２５】
本発明の使い捨ておむつにおいては、上記襞部ギャザー２８，２８’の長手方向略中央部と上記レッグギャザー２４，２４’の長手方向略中央の内側部とが接合され、上記襞部３０，３０’及び上記レッグギャザー２４，２４’が起立するようになされている。そして、これら襞部及びレッグギャザーは、本発明の使い捨ておむつが展開された状態（図１及び図２参照）において起立状態にあり、しかも、図４に示すように本発明の使い捨ておむつを弛緩させた状態においては、一層起立している。従って、従来の使い捨ておむつとは異なり、襞部のみならず、レッグギャザーも立体形状をとり、しかもこれらが一体化している。従って、着用者の足ぐりからの液の漏れが従来の使い捨ておむつに比して効果的に防止される。その上、おむつの着用時、上記襞部及びレッグギャザーは、ラウンド形状となり、しかも図５に示すように該レッグギャザー２４，２４’は着用者の足ぐりに面で以って当接するので（図５中矢印で示す）、フィット性が極めて高くなり、液漏れが一層効果的に防止される。
【００２６】
また、上記襞部３０，３０’と上記トップシートとの間には、図６に示すように、排泄物を収容するための、いわゆるポケット部が形成されるので（図６中矢印で示す）、排泄物の収容特性が極めて向上する。該ポケット部は、特にウエスト部からの液漏れに対して防止効果を発揮する。
【００２７】
更に、本発明の使い捨ておむつにおいては、図６に示すように、着用者の動作等により、上記襞部３０，３０’を越えて液が漏れ出した場合にも、該襞部と上記レッグギャザーとの間には吸収体１６が存在しているので、漏れ出した液は、かかる吸収体によって吸収され、おむつの外部に流れ出るおそれがない。その結果、液漏れが更に一層効果的に防止される。なお、上記襞部と上記レッグギャザーとの間に漏れ出した液の吸収を一層効果的に行うために、該襞部の外面（即ち、該襞部が起立したときに上記レッグギャザーと対向する面）は親水性であることが好ましい。かかる部分を親水性とするには、例えば、該襞部を親水性を有する材質から形成したり、或いは界面活性剤等により親水化処理すればよい。
【００２８】
次に、上述したおむつの構成をもとに、本発明の使い捨ておむつの更に詳しい実施形態を、図７（図２相当図）を参照して説明する。なお、図７において、図１〜図６と同じ点については特に詳述しないが、図１〜図６に関して詳述した説明が適宜適用される。また、図７において図１〜図６と同じ部材については同じ符号を付した。
【００２９】
図７に示す実施形態の使い捨ておむつは、図１及び図２に示す使い捨ておむつを詳細にあらわしたものであり、具体的には上記内側シートが不織布３６と液不透過性のフィルム３４とのラミネートから成り、且つ該不織布が上記おむつの肌当接面に位置するように配設されている。また、上記バックシートは、液不透過性のフィルム３４と不織布３６とのラミネートから成り、該不織布３６がおむつの非肌当接面（外面）に位置するように該バックシートが配設されている。そして、おむつのトップシート１２側に配設される内側シートは、該バックシートからの連続体で形成されている。このように、本実施形態の使い捨ておむつにおいては、その外面（非肌当接面）が不織布から形成されているので、布様の感触を呈し、快適な使用感を有する。また、係止部材として上述した機械的ファスナーを併用することにより、該係止部材を上記不織布の何れの位置にも固定することができるので、着用者の体格に合わせておむつの胴まわりを適宜調節することができる。しかも、該係止部材の付け外しは何度でも行うことができるので、一時的に着用者からおむつを外しても、再度着用させることが容易である。なお、本実施形態においては、上記バックシートにおける上記不織布３６は、該バックシートの全面にラミネートされていてもよく、或いはその一部のみ、例えば、上記係止部材が固定される部分である、上記背側ウエスト部の外面（非肌当接面）のみにラミネートされていてもよい。
【００３０】
先に述べたように、上記内側シートの材質は上記バックシートの材質と異なっていてもよい。この例を図８に示す。但し、図８は上記バックシートが、不織布３６から構成されており、その長手方向に沿う両側部にフィルム３４からなる内層シートが連設されている点が本発明と異なる。上記フィルム３４と上記不織布３６との連設部の接合には、例えばホットメルトやヒートシール等の固定手段を用いることができる。
【００３１】
以上、本発明の使い捨ておむつを、その好ましい実施形態に基づいて説明したが、本発明の使い捨ておむつは、上記実施形態に限定されるものではなく、種々の変更形態が可能である。例えば、背側ウエスト部及び／又は腹側ウエスト部における上記トップシートと上記吸収体との間に液不透過性のシートを介在せしめて、着用者の横臥時に該吸収体からの液の滲みを防止するための、いわゆるウエストバリアを形成してもよい。また、上記内側シートは、おむつの長手方向の全長にわたって配設されている必要はなく、背側ウエストギャザー５２の下端縁部５２’から、腹側ウエストギャザー５３の下端縁部５３’にのみ配設されていてもよい。また、上記係止部材として、上記機械的ファスナーに代えて、ファスニングテープ等の粘着テープを用いてもよい。
【００３２】
【発明の効果】
以上、詳述したように、本発明によれば、着用者の動作に伴い液が様々な方向に拡散する場合にも液を確実に吸収し、液漏れを防止し得る使い捨ておむつが提供される。また、バックシートを液不透過性のフィルムと不織布とのラミネートから形成し、且つ該不織布をおむつの外面に位置するように該バックシートを配設しているので、布様の感触を呈し、快適な使用感を有する使い捨ておむつが得られる。更に、係止部材として機械的ファスナーを併用することにより、該係止部材を上記不織布の何れの位置にも固定することができるので、着用者の体格に合わせておむつの胴まわりを適宜調節することができる。
【図面の簡単な説明】
【図１】本発明の使い捨ておむつの第１の実施形態を示す展開図である。
【図２】図１に示す使い捨ておむつの弛緩した状態におけるＡ−Ａ線断面図である。
【図３】係止部材により背側ウエスト部と腹側ウエスト部とを固定する状態を示す斜視図である。
【図４】第１の実施形態の使い捨ておむつが弛緩した状態を示す斜視図である。
【図５】第１の実施形態の使い捨ておむつを着用者に着用させた状態を示す図である。
【図６】第１の実施形態の使い捨ておむつの弛緩した状態におけるＢ−Ｂ線断面図である。
【図７】第１の実施形態の使い捨ておむつの要部を示す図（図２相当図）である。
【図８】本発明の使い捨ておむつの参考例となるおむつを示す図（図２相当図）である。
【符号の説明】
１０　使い捨ておむつ
１２　液透過性のトップシート
１４　液不透過性のバックシート
１６　液保持性の吸収体
１８，１８’　内側シート
２０，２０’　吸収体１６の側縁部
２２，２２’　第１伸縮弾性部材
２４，２４’　レッグギャザー
２６，２６’　第２伸縮弾性部材
２８，２８’　襞部ギャザー
３０，３０’　襞部
３２，３２’　係止部材
３４　フィルム
３６　不織布